(57)【要約】【課題】主電源部を停止させることで省電力動作モード時の電力消費を抑えつつ、キーマトリクスに対するキー操作を受けて省電力動作モードの解除を行う画像形成装置を提供する。【解決手段】ディジタル複写機１の動作モードを、通常動作モードまたは省電力動作モードのいずれかに切り換える電源制御部３０に、通常動作モードから省電力動作モードへの移行時に第１の端子４２および第２の端子４１からなるスイッチ部の少なくとも１つを介して補助電源回路５０を所定の電位に接続するための信号を出力するＰＳ信号出力回路３５と、補助電源回路５０からスイッチ部を介して所定の電位に流れる電流を用いて主電源回路６０を起動するためのＭＰＳ−ＯＮ信号を生成する発光ダイオード３２およびフォトトランジスタ３３と、を設ける。【選択図】図５
2005275155.tif 000002
【特許請求の範囲】
【請求項１】
装置の動作状態に応じて装置の動作モードを、主電源部を動作させる通常動作モードまたは主電源部を停止させて補助電源部のみを動作させる省電力動作モードのいずれかに切り換える電源制御部と、
対応するキーに対するキー操作を受けて開放状態から閉成状態に切り換わるスイッチ部を複数備えたキーマトリクスと、を備え、
通常動作モード時には、前記キーマトリクスにおける前記スイッチ部の状態を介して装置に対するキー操作の内容を解析する画像形成装置であって、
前記電源制御部は、通常動作モードから省電力動作モードへの移行時に、前記スイッチ部を介して前記補助電源回路を所定の電位に接続する接続切換手段と、前記補助電源回路から前記スイッチ部の少なくとも１つを介して所定の電位に流れる電流を用いて前記主電源回路を起動するための信号を生成する信号生成手段と、を備えたことを特徴とする画像形成装置。
【請求項２】
前記主電源部は、信号入力端子にローレベルの信号が入力されると起動し、
前記信号生成手段は、前記補助電源回路により給電される発光ダイオードと、
前記発光ダイオードが発する光により前記エミッタとコレクタの間が導通するフォトトランジスタと、を備え、前記フォトトランジスタの出力が前記信号入力端子に接続されることを特徴とする請求項２に記載の画像形成装置。
【請求項３】
前記スイッチ部はそれぞれ抵抗を介して、アノードが前記主電源部に接続されたダイオードのカソードに接続されることを特徴とする請求項１または２に記載の画像形成装置。
【請求項４】
前記スイッチ部は、ワイアードＯＲを構成する接続部を介して前記接続切換手段および前記信号生成手段に接続されることを特徴とする請求項１〜３のいずれかに記載の画像形成装置。
【発明の詳細な説明】
【技術分野】
【０００１】
この発明は、入力された画像データに基づいて画像形成処理を行う画像形成装置に関し、特に、通常動作モードと省電力動作モードとが切り換えられる画像形成装置に関する。
【背景技術】
【０００２】
省電力化の要請により、通常動作モードまたは省電力動作モードを適宜切り換えて動作する画像形成装置が増えている。このような画像形成装置では、通常動作モード時に一定時間以上ジョブの指示がされない場合に省電力動作モードに移行し、省電力動作モード時に印刷開始キー等の所定キーが押されると通常動作モードに復帰するように制御されるものが多い。
【０００３】
省電力化をための技術の例として、従来、省電力動作時にキーマトリクス中のいずれかのキーに対するキー操作を受けてＭＰＵを起動させ、その後のキースキャンを可能にする技術があった（例えば、特許文献１参照。）。
【０００４】
また、他の従来技術として、ラダー抵抗の接続点にキースイッチを配置し、ラダー抵抗の分圧比を変えてＡ／Ｄコンバータに入力するとともに、コンパレータで監視しコンパレータ出力を通常動作モードに復帰するためのトリガとする技術があった（例えば、特許文献２参照。）。
【０００５】
これらの従来技術では、キーマトリクスに対するキー操作に基づいて、省電力動作モードの解除を行うことができる、とされている。
【特許文献１】特開昭６２−１６０５２２号公報
【特許文献２】特開平２０００−２８４８９２号公報
【発明の開示】
【発明が解決しようとする課題】
【０００６】
しかしながら、上述の特許文献１および特許文献２を含む従来技術では、省電力動作モードおよび通常動作モードにおいて同一の電源を使用している。このため、従来技術では省電力動作モードであっても、主電源部を動作させる必要がある。
【０００７】
省電力動作モード時の電力消費を抑えるためには、省電力動作モード時には主電源部を停止させて補助電源部のみによってキーマトリクスに対するキー操作を検出することが望ましい。
【０００８】
この発明の目的は、主電源部を停止させることで省電力動作モード時の電力消費を抑えつつ、キーマトリクスに対するキー操作を受けて省電力動作モードの解除を行う画像形成装置を提供することである。
【課題を解決するための手段】
【０００９】
この発明は以下の構成を備えている。
【００１０】
（１）装置の動作状態に応じて装置の動作モードを、主電源部を動作させる通常動作モードまたは主電源部を停止させて補助電源部のみを動作させる省電力動作モードのいずれかに切り換える電源制御部と、
対応するキーに対するキー操作を受けて開放状態から閉成状態に切り換わるスイッチ部を複数備えたキーマトリクスと、を備え、
通常動作モード時には、前記キーマトリクスにおける前記スイッチ部の状態を介して装置に対するキー操作の内容を解析する画像形成装置であって、
前記電源制御部は、通常動作モードから省電力動作モードへの移行時に、前記スイッチ部を介して前記補助電源回路を所定の電位に接続する接続切換手段と、前記補助電源回路から前記スイッチ部の少なくとも１つを介して所定の電位に流れる電流を用いて前記主電源回路を起動するための信号を生成する信号生成手段と、を備えたことを特徴とする。
【００１１】
本発明に係る画像形成装置は、電源制御部およびキーマトリクスを備えている。電源制御部は、画像形成装置の動作状態を通常動作モードまたは省電力動作モードのいずれかに切り換える。電源制御部は、接続切換手段および信号生成手段を備えている。
【００１２】
接続切換手段は、省電力動作モード時にのみスイッチ部を補助電源回路およびアースあるいは補助電源電位などの所定電位に接続する。接続切換手段の例として、スイッチ部とアース等との間およびスイッチ部と補助電源回路との間に配置されたオン／オフの切換が可能な素子を省電力動作モード時にのみオンにする回路が挙げられる。
【００１３】
信号生成手段は、補助電源回路からスイッチ部を介してアースあるいは補助電源電位などの所定電位に流れる電流を利用して主電源部を起動するための信号を生成する。この電流は、省電力動作モード時に装置に対するキー操作を受けてスイッチ部の少なくとも１つが閉成状態になったとき発生する。このため、信号生成手段は、省電力動作モード時に装置に対するキー操作を受けて主電源部を起動する機能を有する。
【００１４】
接続切換手段および信号生成手段は、共に補助電源回路からの電力によって動作するため、省電力動作モード時に主電源部を停止させても、画像形成装置の動作に支障を来すことがない。
【００１５】
（２）前記主電源部は、信号入力端子にローレベルの信号が入力されると起動し、
前記信号生成手段は、前記補助電源回路により給電される発光ダイオードと、
前記発光ダイオードが発する光により前記エミッタとコレクタの間が導通するフォトトランジスタと、を備え、前記フォトトランジスタの出力が前記信号入力端子に接続されることを特徴とする。
【００１６】
この構成においては、主電源部を起動するための信号生成手段が、発光ダイオードとフォトトランジスタとを備えている。発光ダイオードは、スイッチ部の少なくとも１つが閉成状態になったときに補助電源回路からアース等に流れる電流により発光する。フォトトランジスタは、発光ダイオードからの光を受けて主電源部の信号入力端子をアース等に接続する。信号入力端子がアース等に接続されると、主電源部を起動するためのローレベルの信号が信号入力端子に入力される。
【００１７】
（３）前記スイッチ部はそれぞれ抵抗を介して、アノードが前記主電源部に接続されたダイオードのカソードに接続されることを特徴とする。
【００１８】
この構成においては、抵抗およびダイオードを含むラッチアップ防止機構がスイッチ部に接続される。
【００１９】
（４）前記スイッチ部は、ワイアードＯＲを構成する接続部を介して前記接続切換手段および前記信号生成手段に接続されることを特徴とする。
【００２０】
この構成においては、信号生成手段および接続切換手段の前段にワイアードＯＲを構成する接続部が設けられる。複数のスイッチ部と信号生成手段および接続切換手段とを接続するラインは、接続部にて互いに接続された後に、信号生成手段および接続切換手段のそれぞれに接続される。
【発明の効果】
【００２１】
この発明によれば、以下の効果を奏することができる。
【００２２】
（１）主電源部を停止させることで省電力動作モード時の電力消費を抑えつつ、キーマトリクスに対するキー操作を受けて省電力動作モードの解除を行うことができる。
【００２３】
（２）簡易な構成で、かつ、少ない電力で主電源部を起動するための信号を生成することができる。
【００２４】
（３）省電力動作モード時におけるキーマトリクスに対するキー操作を原因とするラッチアップを発生させにくくすることができる。また、主電源部に流れ込む迷路電流を抑制できる。
【００２５】
（４）必要となる接続切換手段および信号生成手段の数を減らす等、回路構成をより簡易にすることができる。
【発明を実施するための最良の形態】
【００２６】
以下、図を用いて本発明の画像形成装置の実施形態であるディジタル複写機を説明する。
【００２７】
図１は、本発明に係る光書込装置が備えられたディジタル複写機１の概略構成を示す。同図に示すように、ディジタル複写機１は、原稿読取部１１０、画像形成部２１０、多段給紙デスク３００、および後処理装置２６０を備えている。
【００２８】
原稿読取部１１０は、透明ガラスからなる原稿台１１１、原稿読取部１１０の上方に配置される自動原稿搬送装置１１２、および原稿台１１１に載置された原稿の画像を読み取る光学系ユニットを備えている。
【００２９】
自動原稿搬送装置１１２は、原稿セットトレイ上にセットされた複数枚の原稿を１枚ずつ自動的に原稿台１１１上へ給送する装置である。また、自動原稿搬送装置１１２は、原稿カバーとしても機能する。
【００３０】
光学系ユニットは、原稿台１１１の下方に配置され、原稿台１１１上に載置された原稿の画像を走査して読み取る。この光学系ユニットは、第１の走査ユニット１１３、第２の走査ユニット１１４、光学レンズ１１５、および光電変換素子であるＣＣＤラインセンサ１１６を有している。
【００３１】
第１の走査ユニット１１３は、原稿面上を露光する露光ランプユニット、原稿からの反射光像を所定の方向に反射させる第１ミラーを備えている。第２の走査ユニット１１４は、第１ミラーから反射されてくる原稿からの反射光をＣＣＤラインセンサ１１６に導く第２ミラーおよび第３ミラーを備えている。光学レンズ１１５は、原稿からの反射光をＣＣＤラインセンサ１１６上に結像させる。ＣＣＤラインセンサ１１６は、原稿からの反射光を光電変換して画像データを生成する。なお、この画像データは、図示しない画像処理部を介して、画像形成部２１０に出力される。
【００３２】
画像形成部２１０の下部には、手差しトレイ２５４、用紙カセット２５１，２５２，２５３、および両面ユニット２５５が備えられている。手差しトレイ２５４、用紙カセット２５１，２５２，２５３、および両面ユニット２５５によって給紙部３００が構成される。
【００３３】
用紙カセット２５１〜２５３、および手差しトレイ２５４のそれぞれから、画像形成位置を経由して後処理装置２６０までの間に用紙搬送路が形成される。また、用紙カセット２５１〜２５３、または手差しトレイ２５４や両面ユニット２５５から給紙された用紙は搬送ローラを有する搬送ユニット２５０を介して画像形成部２１０に供給される。
【００３４】
両面ユニット２５５は、用紙を反転させるスイッチバック路２２１に通じており、用紙の両面に画像形成を行う時に用いられる。なお、両面ユニット２５５は通常の用紙カセットと交換可能な構成となっており、両面ユニット２５５を通常の用紙カセットに置き換えて構成しても良い。
【００３５】
画像形成部２１０は、用紙搬送路に沿って上流側から順番に画像形成ユニット、定着ユニット２１７、および排紙ローラ２１９を備えている。画像形成ユニットは、像担持体としての感光体ドラム２２２、露光装置としての光書込装置２２７、感光体ドラム２２２を所定の電位に帯電させる帯電器２２３、感光体ドラム２２２上に形成された静電潜像にトナーを供給して顕像化する現像器２２４、感光体ドラム２２２表面に形成されたトナー像を用紙に転写するチャージャ方式の転写器２２５、用紙を除電し像担持体２２２から剥離し易くする除電器２２９、余分なトナーを回収するクリーニング器２２６を備えている。
【００３６】
上述の感光体ドラム２２２の周囲において、帯電器２２３、光書込装置２２７、現像器２２４、転写器２２５、除電器２２９、およびクリーニング器２２６によって、帯電処理、露光処理、現像処理、転写処理、および清掃処理が行われる。感光体ドラム２２２および転写器２２５の間に位置する画像形成位置において、画像データに基づいた未定着の現像剤像が用紙の表面に転写される。続いて、用紙搬送路における画像形成位置の下流側に配置されている定着ユニット２１７に用紙が導かれる。定着ユニット２１７によって、用紙上の未定着の現像剤像が加熱および加圧され用紙に定着する。
【００３７】
定着ユニット２１７の下流側において用紙搬送路は２方向に分岐しており、一方が、用紙の裏面に再度画像を形成するために用紙の前後を反転させるスイッチバック路２２１に通じており、他方が、画像が形成された用紙に対してステープル処理等の後処理を行い昇降トレイ２６１上に用紙を排出する後処理装置２６０に通じている。
【００３８】
図２は、ディジタル複写機１の構成の概略を示している。
【００３９】
ディジタル複写機１は、電源部２、電源制御部３０、メイン制御部１０、インタフェース部２０、画像読取部１１０、画像形成部２１０、キーマトリクス４０、およびＡＣプラグ４を備えている。
【００４０】
画像読取部１１０は、原稿台１１１における原稿読取位置における原稿の画像の読取処理を行う。画像形成部２１０は、入力された画像データに基づく画像形成処理を行う。インタフェース部２０は、外部機器との通信を司る機能を有する。
【００４１】
電源制御部３０は、電源部２における主電源回路６０の起動／停止の切換を行う。本実施形態では主電源回路６０が起動している状態を通常動作モードといい、主電源回路６０が停止している状態を省電力動作モードという。主電源回路６０の主な機能は、ディジタル複写機１の動作状態に応じて、通常動作モードまたは省電力動作モードのいずれかに切り換えることである。
【００４２】
電源部２は、補助電源回路５０および主電源回路６０を備えている。補助電源回路５０は、主電源回路６０による電力の供給が停止している省電力動作モード時において、電源制御部３０に電力を供給する。主電源回路６０は、メイン制御部１０を含むディジタル複写機１の各部に対して電力供給を行う。
【００４３】
メイン制御部１０は、ＣＰＵ１１、ＲＯＭ１２、ＲＡＭ１３を備えており、ディジタル複写機１の各部を総括的に制御する。メイン制御部１０は、上述の電源部２、電源制御部３０、インタフェース部２０、画像読取部１１０、画像形成部２１０、および給紙部３００のそれぞれに接続されている。
【００４４】
メイン制御部１０は電源制御部３０を介して主電源回路６０の起動／停止の切換制御を行う。メイン制御部１０は、主電源回路６０を停止させるときに、電源制御部３０のＰＳ信号出力回路３５に対して所定の信号を出力する。
【００４５】
メイン制御部１０は、ユーザからのコマンドがなく、処理すべきジョブが存在しない状態が所定の時間以上継続すると、コマンド待機時の消費電力を軽減するために省電力動作モードに移行させる。この省電力動作モード時において、通常動作モードに復帰するトリガとなる操作がされるまで、主電源回路６０の動作が停止する。
【００４６】
図３は、電源装置２の主要部の構成を示している。商用電源７０は、メインスイッチ７２、平滑回路７１を介して補助電源回路５０に接続される。
【００４７】
メインスイッチ７２は、ディジタル複写機１の主電源のオン／オフを切り換えるためのスイッチである。平滑回路７１は、整流・平滑動作を行う回路であり、ダイオードブリッジおよびコンデンサを備えている。補助電源回路５０の電力供給端子は、接地されたリレーコイル７５および電源制御部３０にそれぞれ接続されている。
【００４８】
また、商用電源７０は、メインスイッチ７２、トライアック７３、リレー接点７４、および平滑回路７１を介して主電源回路６０に接続される。トライアック７３は、そのゲートが主電源回路６０に接続されている。リレー接点７４は、リレーコイル７５によって閉成／開放が切り換えられるノーマル・オープンのリレー接点である。トライアック７３およびリレー接点７４は、並列に接続されており、それぞれメインスイッチ７２および平滑回路７１に接続されている。
【００４９】
主電源回路６０は、ＭＰＳ信号入力端子７６を備えている。ＭＰＳ信号入力端子７６は、主電源回路６０をオンにするローレベルの信号（ＭＰＳ−ＯＮ信号）およびそれ以外の信号（ＭＰＳ−ＯＦＦ信号）の入力を受け付ける。
【００５０】
また、主電源回路６０の電力供給端子は、トライアック７３のゲートおよびメイン制御部１０にそれぞれ接続されている。
【００５１】
同図に示す構成において、メインスイッチ７２がオンになるとディジタル複写機１が起動する。起動時には、まず、商用電源７０から平滑回路７１を経由して補助電源回路５０に電流が流れる。続いて、補助電源回路５０の電力供給端子からリレーコイル７５に電力が供給される。リレーコイル７５に電流が流れることにより、リレー接点７４が閉成する。リレー接点７４が閉成することにより、商用電源７０からリレー接点７４および平滑回路７１を経由して主電源回路６０に電流が流れる。
【００５２】
続いて、主電源回路６０の電力供給端子からトライアック７３のゲートに電力が供給されトライアック７３が導通する。また、主電源回路６０の電力供給端子からメイン制御部１０に対する電力供給が開始され、ディジタル複写機１が動作を開始する。
【００５３】
図４は、主電源回路６０の要部の構成を示している。主電源回路６０において、主巻線６８および副巻線６９によってスイッチングトランスが構成される。主巻線６８の一次側は、スイッチングトランジスタ６２を介して接地される。主巻線６８の２次側は、ダイオード６４Ａのアノードに接続されており、ダイオード６４Ａのカソードは、接地されたコンデンサ６４Ｂおよび電力供給端子に接続されている。
【００５４】
コンデンサ６４Ｂと電力供給端子と間の接続部は、抵抗６３、ツェナーダイオード６４、発光ダイオード６６を介して接地されている。
【００５５】
スイッチングトランジスタ６２のゲートは、エミッタが接地されたフォトトランジスタ６７および副巻線６９に接続される。フォトトランジスタ６７のコレクタは、インバータ６１を介して、ＭＰＳ信号入力端子７６に接続されている。ＭＰＳ信号入力端子７６およびインバータ６１の間の接続部は、プルアップ抵抗４７を介して補助電源回路５０に接続されている。
【００５６】
ＭＰＳ−ＯＮ信号（ローレベル）がＭＰＳ信号入力端子７６に入力されると、オープンコレクタのインバータ６１とフォトトランジスタ６７との間の接続部がハイインピーダンス状態となり、スイッチングトランジスタ６２のゲートの強制接地が解除される。このため、スイッチングトランスからスイッチングトランジスタ６２のゲートに入力される帰還信号が有効となりスイッチング発振が行われる。このスイッチング発振により、主巻線６８の２次側から電力供給端子を介してメイン制御部１０に電力の供給が行われる。
【００５７】
コンデンサ６４Ｂと電力供給端子との間の接続部の電位が、所定の電位に達すると、抵抗６３およびツェナーダイオード６５を介して発光ダイオード６６に電力が流れる。この結果、フォトトランジスタ６７がオンになり、スイッチングトランジスタ６２のゲートが強制接地され、スイッチングトランスの発振が停止する。このようにスイッチング発振のオン／オフを切り換えることにより、主電源回路６０からメイン制御部１０に過不足なく電力供給がされる。
【００５８】
一方で、ＭＰＳ−ＯＦＦ信号がＭＰＳ信号入力端子７６に入力されると、スイッチングトランジスタ６２のゲートが強制接地され、スイッチングトランスのスイッチング発振が停止する。
【００５９】
例えば、通常動作モード時において、電源制御部３０からＭＰＳ信号入力端子７６にＭＰＳ−ＯＦＦ信号が入力されると、スイッチングトランスのスイッチング発振が停止する。また、省電力動作モード時において、電源制御部３０からＭＰＳ信号入力端子７６にＭＰＳ−ＯＮ信号が入力されると、スイッチングトランスのスイッチング発振が開始される。
【００６０】
電源制御部３０は、ディジタル複写機１の動作状態に応じて、ＭＰＳ−ＯＮ信号またはＭＰＳ−ＯＦＦ信号をＭＰＳ信号入力端子７６に出力する。通常、ディジタル複写機１において所定の設定時間以上にわたってコマンド等の入力がされない状態が継続した場合には、メイン制御部１０から電源制御部３０のＰＳ信号出力回路３５に所定の信号が出力され、有効な信号を受け付けた電源制御部３０がＭＰＳ−ＯＦＦ信号をＭＰＳ信号入力端子７６に出力する。このとき、同時にＰＳ信号出力回路３５が後述するＰＳ信号（ハイレベル）およびＰＳバー信号（ローレベル）を出力する。
【００６１】
図５は、電源制御部３０、キーマトリクス４０、および電源部２の接続状態を示している。
【００６２】
キーマトリクス４０は第１の端子４２（４２Ａ〜４２Ｐ）と第２の端子４１（４１Ａ〜４１Ｐ）とを備えている。第１の端子４２（４２Ａ〜４２Ｐ）と第２の端子４１（４１Ａ〜４１Ｐ）とは１対１に対応しており、互いに対応する第１の端子４２と第２の端子４１とによってスイッチ部が構成される。各スイッチ部は、操作パネルにおける対応するキーに対するキー操作を受けて開放状態から閉成状態に切り換わる。キーマトリクス４０におけるスイッチ部の開放／閉成状態を検出することにより、操作パネルに対してされたユーザからのキー操作の内容が検出される。キーマトリクス４０は、メイン制御部１０および主電源回路６０と、主電源制御部３０および補助電源回路５０とにそれぞれ接続される。
【００６３】
まず、キーマトリクス４０とメイン制御部１０および主電源回路６０との接続を説明する。メイン制御部１０は、４つの出力端子４９（４９Ａ〜４９Ｄ）と４つの入力端子４９（４９Ｅ〜４９Ｈ）とを備えている。
【００６４】
出力端子４９Ａは、抵抗４７Ａを介して第１の端子４２Ｄ，４２Ｈ，４２Ｌ，４２Ｐに接続される。出力端子４９Ｂは、抵抗４７Ｂを介して第１の端子４２Ｃ，４２Ｇ，４２Ｋ，４２Ｏに接続される。出力端子４９Ｃは、抵抗４７Ｃを介して第１の端子４２Ｂ，４２Ｆ，４２Ｊ，４２Ｎに接続される。出力端子４９Ｄは、抵抗４７Ｄを介して第１の端子４２Ａ，４２Ｅ，４２Ｉ，４２に接続される。
【００６５】
出力端子４９Ａと抵抗４７Ａとの間の接続部にダイオード４８Ａのアノードが接続され、ダイオード４８Ａのカソードが主電源回路６０に接続される。出力端子４９Ｂと抵抗４７Ｂとの間の接続部にダイオード４８Ｂのアノードが接続され、ダイオード４８Ｂのカソードが主電源回路６０に接続される。出力端子４９Ｃと抵抗４７Ｃとの間の接続部にダイオード４８Ｃのアノードが接続され、ダイオード４８Ｃのカソードが主電源回路６０に接続される。出力端子４９Ｄと抵抗４７Ｄとの間の接続部にダイオード４８Ｄのアノードが接続され、ダイオード４８Ｄのカソードが主電源回路６０に接続される。
【００６６】
第２の端子４１Ａ，４１Ｂ，４１Ｃ，４１Ｄは、抵抗４７Ｅを介して入力端子４９Ｅに接続される。第２の端子４１Ｅ，４１Ｆ，４１Ｇ，４１Ｈは、抵抗４７Ｆを介して入力端子４９Ｆに接続される。第２の端子４１Ｉ，４１Ｊ，４１Ｋ，４１Ｌは、抵抗４７Ｇを介して入力端子４９Ｇに接続される。第２の端子４１Ｍ，４１Ｎ，４１Ｏ，４１Ｐは、抵抗４７Ｈを介して入力端子４９Ｈに接続される。
【００６７】
入力端子４９Ｅと抵抗４７Ｅとの間の接続部に、カソードが主電源回路６０に接続されたダイオード４８Ｅのアノードが接続される。入力端子４９Ｆと抵抗４７Ｆとの間の接続部に、カソードが主電源回路６０に接続されたダイオード４８Ｆのアノードが接続される。入力端子４９Ｇと抵抗４７Ｇとの間の接続部に、カソードが主電源回路６０に接続されたダイオード４８Ｇのアノードが接続される。入力端子４９Ｈと抵抗４７Ｈとの間の接続部に、カソードが主電源回路６０に接続されたダイオード４８Ｈのアノードが接続される。本実施形態では、抵抗４７およびダイオード４８をラッチアップ防止の目的で配置している。
【００６８】
続いて、キーマトリクス４０と主電源制御部３０および補助電源回路５０との接続を説明する。第１の端子４２Ａ，４２Ｅ，４２Ｉ，４２Ｍはダイオード４４Ｄのカソードに接続される。第１の端子４２Ｂ，４２Ｆ，４２Ｊ，４２Ｎはダイオード４４Ｃのカソードに接続される。第１の端子４２Ｃ，４２Ｇ，４２Ｋ，４２Ｏはダイオード４４Ｂのカソードに接続される。第１の端子４２Ｄ，４２Ｈ，４２Ｌ，４２Ｐはダイオード４４Ａのカソードに接続される。
【００６９】
ダイオード４４Ａ，４４Ｂ，４４Ｃ，４４Ｄのアノードは、互いに接続されており、それぞれが、プルアップ抵抗３４およびバッファ３７に接続される。プルアップ抵抗３４は、エミッタが補助電源回路５０に接続されたトランジスタ４６のコレクタに接続される。トランジスタ４６のベースは、抵抗３６Ａを介してＰＳ信号出力回路３５に接続される。  第２の端子４１Ａ，４１Ｂ，４１Ｃ，４１Ｄは、ダイオード４３Ａのアノードに接続される。第２の端子４１Ｅ，４１Ｆ，４１Ｇ，４１Ｈは、ダイオード４３Ｂのアノードに接続される。第２の端子４１Ｉ，４１Ｊ，４１Ｋ，４１Ｌは、ダイオード４３Ｃのアノードに接続される。第２の端子４１Ｍ，４１Ｎ，４１Ｏ，４１Ｐは、ダイオード４３Ｄのアノードに接続される。
【００７０】
ダイオード４３Ａ，４３Ｂ，４３Ｃ，４３Ｄのカソードは、互いに接続されており、それぞれがエミッタが接地されたトランジスタ４５のコレクタに接続される。トランジスタ４５のベースは、抵抗３６Ａを介してＰＳ信号出力回路３５に接続される。
【００７１】
ＰＳ信号出力回路３５は、メイン制御部１０に接続されており、メイン制御部１０から省電力動作モードに移行すべき旨の信号を受けた後に、トランジスタ４５およびトランジスタ４６に対して所定の信号を出力する。本実施形態では、省電力動作モードに移行すべき旨の信号を受けたＰＳ信号出力回路３５は、トランジスタ４５のベースに対してハイレベルの信号（ＰＳ信号）を出力し、トランジスタ４６のベースに対してローレベルの信号（ＰＳバー信号）を出力する。これらの信号を出力する目的は、省電力動作モード時においてトランジスタ４５，４６をオンにすることである。なお、ＰＳ信号出力回路３５によって本発明の接続切換手段が構成される。
【００７２】
本実施形態では、ダイオード４３（４３Ａ〜４３Ｄ）によって第１のダイオード群が構成され、ダイオード４４（４４Ａ〜４４Ｄ）によって第２のダイオード群が構成される。
【００７３】
第２のダイオード群を構成するダイオード４４（４４Ａ〜４４Ｄ）に接続されるバッファ３７の出力側は、発光ダイオード３２のカソードに接続され、発光ダイオード３２のアノードは抵抗３１を介して補助電源回路５０に接続される。発光ダイオード３２が発する光は、エミッタが接地されコレクタが主電源回路６０のＭＰＳ信号入力端子７６に接続されたフォトトランジスタ３３に入射される。発光ダイオード３２とフォトトランジスタ３３とでフォトカプラが構成されており、このフォトカプラによって本発明の信号生成手段が構成される。
【００７４】
図６は、キーマトリクスが押された時にインバータ３７′の入力がハイレベルになり、発光ダイオード３２が点灯し、主電源回路６０を起動させるものであり、基本的な構成は図５に示す構成と同様であるため、詳細説明は省略する。
【００７５】
本実施形態では、発光ダイオード３２に電流が流れることにより主電源回路６０のＭＰＳ信号入力端子７６に主電源回路６０を起動させるためのローレベルの信号が入力される。すなわち、ディジタル複写機１では、省電力動作モード時におけるキーマトリクス４０に対するキー操作を検出し、省電力動作モードの解除が行われる。
【００７６】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００７７】
【図１】本発明に係る画像形成装置の構成の概略を示す図である。
【図２】画像形成装置の構成の概略を示すブロック図である。
【図３】画像形成装置に備えられる電源部の構成を示す図である。
【図４】電源部における主電源回路の構成を示す図である。
【図５】電源制御部、キーマトリクス、および電源部の接続状態を示す図である。
【図６】電源制御部、キーマトリクス、および電源部の接続状態を示す図である。
【符号の説明】
【００７８】
１−画像形成装置
２−電源回路
１０−メイン制御部
１４−スキャナ部
１５−プリント部
２０−インタフェース部
３０−電源制御部
４０−キーマトリクス
【図１】
2005275155.tif 000003
【図２】
2005275155.tif 000004
【図３】
2005275155.tif 000005
【図４】
2005275155.tif 000006
【図５】
2005275155.tif 000007
【図６】
2005275155.tif 000008